(57)【要約】【課題】塵埃吸引装置のファンに吸引した塵埃のファン表面への付着、堆積を防止し信頼性の高い空気調和機の室内ユニットを提供する。【解決手段】塵埃吸引装置３の外郭を構成するケーシング部１１から塵埃吸引装置３のファン１０を構成する複数のブレード２１の内周面近傍に少なくとも一つのリブ１５を設け、さらにリブ１５に突起部２５を設けることにより、ブレード２１の表面に付着した塵埃Ａを剥離、離脱させることにより塵埃吸引装置３のファンに吸引した塵埃のファン表面への付着、堆積を防止する。【選択図】図５
2007183058.tif 000002
【特許請求の範囲】
【請求項１】
空気調和機に設けられるファンユニットであって、円周上に配置された複数のブレードを有するファンと、前記ファンを収容するケーシングとを備え、前記ブレードの内縁部近傍の前記ケーシングに少なくとも一つのリブを設け、前記リブから前記ファンのブレードに向けて延出する突起を設けたことを特徴とする空気調和機用ファンユニット。
【請求項２】
リブはＬ字状に曲折された形状をなし、且つケーシング内縁部から半径方向内方に延出する延出部と、前記延出部から曲折された曲折部を有することを特徴とする、請求項１に記載の空気調和機用ファンユニット。
【請求項３】
リブは、ブレードの回転方向における曲折部の上流側の第１の面と前記ブレードに対向する前記曲折部の第２の面との間の角部の角度を鋭角に設定したことを特徴とする、請求項２に記載の空気調和機用ファンユニット。
【請求項４】
突起部の中心線は、凡そファンブレードの回転軸と交わるように延出していることを特徴とする、請求項１〜３のいずれかに記載の空気調和機用ファンユニット。
【請求項５】
突起部はリブの表面に複数設けられたことを特徴とする、請求項１〜４のいずれかに記載の空気調和機用ファンユニット。
【請求項６】
突起部は針状の形状を有することを特徴とする、請求項１〜５のいずれかに記載の空気調和機用ファンユニット。
【発明の詳細な説明】
【技術分野】
【０００１】
本発明は空気調和機に関し、さらに詳しくはエアフィルターの清掃を自動的に行うようにした空気調和機等に使用されるファンユニット関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。
【０００３】
このような構成でのフィルター装置は頻繁なメンテナンスが必要となるだけでなく、メンテナンスが行われるまでの間にはエアフィルターが徐々に目詰まりしていき、その結果、熱交換器を通過する風量が低下して空調能力が低下して消費電力の増大につながることとなる。
【０００４】
このため、エアフィルターのメンテナンスの手間を低減する目的で、エアフィルターの自動清掃装置として好ましいのはエアフィルターに付着した塵埃を吸引ノズルを介して塵埃吸引装置により吸引清掃し、吸引された塵埃は室外へ排出する自動清掃装置が考案されている（例えば、特許文献１参照）。
【特許文献１】特開平６−７４５２１号公報
【発明の開示】
【発明が解決しようとする課題】
【０００５】
しかしながら、エアフィルターに付着した塵埃を吸引ノズルを介して塵埃吸引装置により吸引清掃し、吸引された塵埃は室外へ排出するが、塵埃吸引装置のファンに吸引した塵埃がファン表面に付着、堆積して塵埃吸引装置の吸引風量が低下し、塵埃の吸引性能が低下し、最悪の場合、塵埃の吸引が不可能になる場合があるという課題があった。
【０００６】
本発明は、前記従来の課題を解決するもので、塵埃吸引装置のファンに吸引した塵埃のファン表面への付着による堆積を防止して塵埃吸引装置の吸引風量が低下による、塵埃の吸引性能の低下を防止し、信頼性の高い空気調和機の室内ユニットを提供することを目的とする。
【課題を解決するための手段】
【０００７】
前記従来の課題を解決するために、本発明の空気調和機の室内ユニットは、円周上に配置された複数のブレードを有するファンと、前記ファンを収容するケーシングとを備え、前記ブレードの内縁部近傍の前記ケーシングに少なくとも一つのリブを設け、前記リブから前記ファンのブレードに向けて延出する突起を設けたものである。
【０００８】
これによって、エアフィルターに付着した塵埃は吸引ノズルを介して塵埃吸引装置により吸引され、ファンを構成するブレードの表面に例え付着したとしても、ブレードの回転によって、ブレードの表面に付着した塵埃が突起およびリブと当接することとなり、塵埃がブレード表面から剥離、離脱されることにより、塵埃のブレード表面への付着による堆積にともなう塵埃吸引装置の吸引風量の低下を防止することにより、塵埃の吸引性能の低下を防ぎ、信頼性の高い空気調和機の室内ユニットを提供することが可能となる。
【発明の効果】
【０００９】
本発明によれば、空気調和機の塵埃吸引装置のブレード表面への塵埃の付着による堆積
にともなう塵埃吸引装置の吸引風量の低下を防止することにより塵埃の吸引性能の低下を防ぐことができる。
【発明を実施するための最良の形態】
【００１０】
第１の発明は、空気調和機に設けられるファンユニットであって、円周上に配置された複数のブレードを有するファンと、前記ファンを収容するケーシングとを備え、前記ブレードの内縁部近傍の前記ケーシングに少なくとも一つのリブを設け、前記リブから前記ファンのブレードに向けて延出する突起を設けたものである。
【００１１】
これによって、エアフィルターに付着した塵埃は吸引ノズルを介して塵埃吸引装置により吸引され、ファンを構成するブレードの表面に例え付着したとしても、ブレードの回転によって、ブレードの表面に付着した塵埃が突起部およびリブと当接することとなり、ブレードとリブの間の隙間に塵埃が挟まることなどなく、塵埃がブレード表面から剥離、離脱されることにより、塵埃のブレード表面への付着による堆積にともなう塵埃吸引装置の吸引風量の低下を防止することにより、塵埃の吸引性能の低下を防ぎ、信頼性の高い空気調和機の室内ユニットを提供することが可能となる。
【００１２】
第２の発明は、特に第１の発明のリブがＬ字状に曲折された形状をなし、且つケーシング内縁部から半径方向内方に延出する延出部と、前記延出部から曲折された曲折部を有するものである。
【００１３】
これによって、簡単な構成でブレードに付着した塵埃を剥離、離脱させることが可能となる。
【００１４】
第３の発明は、特に第２の発明のリブを、ブレードの回転方向における曲折部の上流側の第１の面と前記ブレードに対向する前記曲折部の第２の面との間の角部の角度を鋭角に設定したものである。
【００１５】
これによって、ブレードに付着した塵埃を鋭角部が引掛け易くなるように作用することとなり、ブレードに付着した塵埃を剥離、離脱させることが可能となる。
【００１６】
第４の発明は、特に第１〜３の発明の突起部の中心線が、凡そファンブレードの回転軸と交わるように延出させているものである。
【００１７】
これによって、ブレードに付着した塵埃を突起部が引掛け易くなるように作用することとなり、ブレードに付着した塵埃を剥離、離脱させることが可能となる。
【００１８】
第５の発明は、特に第１〜４の発明の突起部をリブの表面に複数設けたものである。
【００１９】
これによって、ブレード上のいずれの部分に付着した塵埃であっても、突起部が作用することとなり、ブレードに付着した塵埃を剥離、離脱させることが可能となる。
【００２０】
第６の発明は、特に第１〜５の発明の突起部が針状の形状を有するものである。
【００２１】
これによって、ブレードに付着した塵埃を突起部がより引掛け易くなるように作用することとなり、ブレードに付着した塵埃を剥離、離脱させることが可能となる。
【００２２】
以下、本発明の実施の形態について図面を参照して説明する。なお、この実施の形態によって本発明が限定されるものではない。
【００２３】
（実施の形態１）
図１は、本発明の第１の実施の形態における空気調和機の室内ユニットの正面外観図、図２は同室内ユニットＩ−Ｉ線矢視断面図、図３は同室内ユニットのエアフィルターおよびその清掃機構に関する構造を示した斜視図、図４は同室内ユニットに設けられた塵埃吸引装置の概略斜視図、図５は同室内ユニットに設けられた塵埃吸引装置の要部斜視図、図６は同室内ユニットに設けられた塵埃吸引装置の要部模式図、図７は同室内ユニットに設けられた塵埃吸引装置の概略断面図である。
【００２４】
図１〜図３に示すように、室内機１の内部には熱交換器２０が配され、熱交換器２０を通過する塵埃を除去するエアフィルター２が配されている。室内機１内の側面近傍には、エアフィルター２に付着した塵埃を吸引して排出するための塵埃吸引装置３が設置されている。
【００２５】
この塵埃吸引装置３の吸い込み側部分（吸い込みダクト接続口４）には、蛇腹形状の吸い込みダクト５を介して吸い込みノズル６が接続されているとともに、塵埃吸引装置３の吹き出し側部分（排気ダクト接続口７）には、その先端が室外へ連通されている排気ダクト８が接続されている。
【００２６】
吸い込みノズル６におけるエアフィルター２に臨む面には、エアフィルター２の上面部から前面部にかけて複数の吸い込み孔６ａが並んで形成され、後述する塵埃吸引装置３の吸引動作により、各吸い込み孔６ａからエアフィルター２の塵埃を吸い込み可能に構成されている。
【００２７】
図４〜図７に示すように、塵埃吸引装置３は、吸排気モータ９により回転される遠心式のファン１０と、このファン１０を収容するケーシング１１部と、このケーシング部１１の風上側にケーシング部１１と一体的に設けられた吸引カバー１２と、ケーシング部１１などが取り付けられている取付基板１３とを有する。
【００２８】
ファン１０は複数のブレード２１が円周状に配されており、ブレード２１は図６中、矢印Ｂ方向に回転するものである。
【００２９】
この構成において、吸排気モータ９を吸引のため正転させるとともに、ノズル駆動用モータ１４を駆動させる。すると、塵埃吸引装置３が作動した状態で、吸い込みノズル６がエアフィルター２の風上側の面に沿って移動し、この際、エアフィルター２に付着した塵埃が空気とともに吸い込み孔６ａを通して吸い込みノズル６内に吸い込まれ、吸い込みダクト５から塵埃吸引装置３に吸引された塵埃が空気とともに排気ダクト８を通して室外に排出される。塵埃吸引装置３に吸引された空気と塵埃は図７の矢印Ｃの方向に従って流れるものである。
【００３０】
ここで、長期に使用する場合、図６に示すように、ファン１０を構成するブレード２１の表面に塵埃Ａが付着し堆積する可能性がある。
【００３１】
このため、本発明の実施の形態では図５ないし図７に示すように、ファン１０を収納するケーシング部１１から延出したリブ１５を設け、さらにリブ１５に突起部２５を設けた。
【００３２】
リブ１５および突起部２５はファン１０を構成する複数のブレード２１の内周面近傍に設けられている。
【００３３】
つまり、ブレード２１の内周側先端から所定の距離だけ離間されてリブ１５が配され、
この離間された隙間に突起部２５が設けられている。
【００３４】
ここで、リブ１５および突起部２５は少なくとも一つ有れば良く、塵埃吸引装置の吸引風量を鑑みて複数個、設けても良いものである。
【００３５】
上記構成によって、エアフィルター２に付着した塵埃は吸込みノズル６を介して塵埃吸引装置３により吸引され、ファン１０を構成するブレード２１の表面に塵埃Ａが例え付着したとしても、ブレード２１の回転によって、ブレード２１の表面に付着した塵埃Ａがリブ１５および突起部２５と当接することとなり、塵埃Ａがブレード２１表面から剥離、離脱されることとなる。
【００３６】
剥離、離脱した塵埃Ａは塵埃吸引装置３の吸引力によって、空気とともに排気ダクト８を通して室外に排出される。
【００３７】
従って、塵埃Ａのブレード２１表面への付着による堆積にともなう塵埃吸引装置３の吸引風量の低下を防止することにより、塵埃Ａの吸引性能の低下を防ぎ、信頼性の高い空気調和機の室内ユニットを提供することが可能となる。
【００３８】
上記構成において、リブ１５を、ファン１０を収納するケーシング部１１から延出した構成としたが、図５および図７に示すようにＬ字状とする。これによって、簡単な構成でケーシング部１１からリブ１５を所定の位置に配置させることが可能となる。
【００３９】
さらに、上記構成において、図６に示すように、リブ１５のファン１０を構成するブレード２１の回転方向であるＢ方向に対向する位置の形状を鋭角αとする鋭角部２３を設けたものである。
【００４０】
これによって、ブレード２１の回転によって、ブレード２１の表面に付着した塵埃Ａがリブ１５と当接する時に、ブレード２１に付着した塵埃Ａを鋭角部２３が引掛け易くなるように作用することとなり、ブレード２１に付着した塵埃Ａを剥離、離脱させることが可能となる。
【００４１】
また、上記構成において、図６に示すように、突起部の中心線は、凡そファンブレードの回転軸と交わるように延出させたものである。
【００４２】
これによって、ブレード２１の回転によって、ブレード２１の表面に付着した塵埃Ａがリブ１５と当接する時に、ブレード２１に付着した塵埃Ａを尖角部２４がさらに引掛け易くなるように作用することとなり、ブレード２１に付着した塵埃Ａを剥離、離脱させることが可能となる。
【００４３】
また、上記構成において、図示しないが突起部をリブの表面に複数設けたものである。
【００４４】
これによって、ブレード２１の回転によって、ブレード２１の表面に付着した塵埃Ａがリブ１５と当接する時に、ブレード２１に付着した塵埃Ａを尖角部２４がさらに引掛け易くなるように作用することとなり、ブレード２１に付着した塵埃Ａを剥離、離脱させることが可能となる。
【００４５】
また、上記構成において、図６に示すように、突起部を針状の形状としたものである。
【００４６】
これによって、ブレード２１の回転によって、ブレード２１の表面に付着した塵埃Ａがリブ１５と当接する時に、ブレード２１に付着した塵埃Ａを尖角部２４がさらに引掛け易
くなるように作用することとなり、ブレード２１に付着した塵埃Ａを剥離、離脱させることが可能となる。
【産業上の利用可能性】
【００４７】
以上のように、本発明にかかる空気調和機の室内ユニットは、空気調和機以外でも、エアフィルターを有し、室外に排気可能な環境に設置される機器に対しても適用可能である。
【図面の簡単な説明】
【００４８】
【図１】本発明の実施の形態１における空気調和機の室内ユニットの正面外観図
【図２】本発明の実施の形態１における空気調和機の室内ユニットのＩ−Ｉ線矢視断面図
【図３】本発明の実施の形態１における空気調和機の室内ユニットのエアフィルターおよびその清掃機構に関する構造を示した斜視図
【図４】本発明の実施の形態１における空気調和機の室内ユニットの塵埃吸引装置を示す概略斜視図
【図５】本発明の実施の形態１における空気調和機の室内ユニットの塵埃吸引装置を示す要部斜視図
【図６】本発明の実施の形態１における空気調和機の室内ユニットの塵埃吸引装置を示す要部模式図
【図７】本発明の実施の形態１における空気調和機の室内ユニットの塵埃吸引装置を示す概略断面図
【符号の説明】
【００４９】
１  室内ユニット
２  エアフィルター
３  塵埃吸引装置
４  吸い込みダクト接続口
５  吸い込みダクト
６  吸い込みノズル
６ａ  各吸い込み孔
７  排気ダクト接続口
８  排気ダクト
９  吸排気モータ
１０  ファン
１１  ケーシング部
１２  吸引カバー
１３  取付け基板
１４  ノズル駆動用モータ
１５  リブ
２１  ブレード
２３  鋭角部
２４  尖角部
２５  突起部
【図１】
2007183058.tif 000003
【図２】
2007183058.tif 000004
【図３】
2007183058.tif 000005
【図４】
2007183058.tif 000006
【図５】
2007183058.tif 000007
【図６】
2007183058.tif 000008
【図７】
2007183058.tif 000009